(57)【要約】【課題】  スライドショー表示の途中で、画像のコマ送り、加工若しくは編集を行うことができる画像表示装置及びプログラムの提供。【解決手段】  スライドショー表示中に画像の加工／編集指示があると（Ｓ１、Ｓ２）、スライドショー表示を一時停止し（Ｓ５）、ユーザは戻しボタンを押して画像を１コマずつ前に戻すことができ、表示されている画像の１コマ前の画像データを保存メモリ１６から取り出して再生して表示させ（Ｓ８）、画像の回転、切り抜き、色調補正、画像情報表示等の加工や、並べ替え、画像切り替え効果変更等の加工／編集処理を行う（Ｓ１０）。加工／編集処理後は、その内容で加工／変更処理前の内容を更新してメモリに保存し（Ｓ１１）、スライドショー再開指示があると加工／編集後の画像でスライドショー表示を行う（Ｓ１２）。【選択図】  図５
2010172009.tif 000002
【特許請求の範囲】
【請求項１】
メモリに記録されている複数の画像を順次スライドショー表示する画像表示装置であって、
スライドショー表示中の任意のタイミングで画像を表示させたまま停止させる表示停止指示手段と、
前記表示停止指示手段によって前記画像が表示されたまま停止しているとき、画像をコマ送り表示して対象の画像を指定する指定手段と、
前記指定手段で指定されて表示されている画像の加工若しくは編集処理を行う処理手段と、
前記処理手段によって加工若しくは編集処理された画像と対応付けて、前記メモリに記録されている画像の記録内容を前記加工若しくは編集処理の結果を反映させるように更新する記憶更新手段と、
前記記憶更新手段による更新後、前記表示停止指示手段によって停止させられていたスライドショー表示を再開させる表示再開手段と、
を備えたことを特徴とする画像表示装置。
【請求項２】
前記表示再開手段は、前記加工若しくは編集処理された画像の一つ前の画像からスライドショー表示を再開させる手段を含むことを特徴とする請求項１に記載の画像表示装置。
【請求項３】
前記表示再開手段は、前記加工若しくは編集処理された画像の一つ後の画像からスライドショー表示を再開させる手段を含むことを特徴とする請求項１に記載の画像表示装置。
【請求項４】
前記記憶更新手段は、前記加工若しくは編集処理手段によって加工処理された画像についてはその画像で前記メモリに記録されている画像のうち加工前の該当画像を置き換えて記録する手段を含むことを特徴とする請求項１乃至３に記載の画像表示装置。
【請求項５】
前記記憶更新手段は、前記加工若しくは編集処理手段によって編集処理された画像についてはその画像の管理情報を更新することにより編集処理の結果を反映させる手段を備えたことを特徴とする請求項１乃至３に記載の画像表示装置。
【請求項６】
前記記憶更新手段は、前記加工若しくは編集処理手段によって編集処理された画像についてはその画像の付加情報を更新することにより編集処理の結果を反映させる手段を備えたことを特徴とする請求項１乃至３に記載の画像表示装置。
【請求項７】
前記加工処理は、画像の切り抜き処理、色調調整処理、または画像情報表示処理のいずれかであることを特徴とする請求項４に記載の画像表示装置。
【請求項８】
前記編集処理は、画像の並べ替え処理、画像情報変更処理、ＢＧＭ変更処理、または画像切り替え効果変更処理のいずれかであることを特徴とする請求項５に記載の画像表示装置。
【請求項９】
メモリに記録されている複数の画像を順次スライドショー表示する画像表示装置のコンピュータを、
スライドショー表示中の任意のタイミングで画像を表示させたまま停止させる表示停止指示手段、
前記表示停止指示手段によって前記画像が表示されたまま停止しているとき、画像をコマ送り表示して対象の画像を指定する指定手段、
前記指定手段で指定されて表示されている画像の加工若しくは編集処理を行う処理手段、
前記処理手段によって加工若しくは編集処理された画像と対応付けて、前記メモリに記録されている画像の記録内容を前記加工若しくは編集処理の結果を反映させるように更新する記憶更新手段、
前記記憶更新手段による更新後、前記表示停止指示手段によって停止させられていたスライドショー表示を再開させる表示再開手段、
として機能させるプログラム。
【発明の詳細な説明】
【技術分野】
【０００１】
本発明は、記憶されている画像を一定間隔で自動的に再生表示する画像表示技術（いわゆる、スライドショー表示技術）に関する。
【背景技術】
【０００２】
記憶されている複数の画像の中から予め選択された画像を予め指定された順序で自動再生する画像再生装置／デジタルカメラがある（例えば、特許文献１参照）。また、静止画像および動画像の一部分を所定の再生時間ごとに自動的に再生する画像処理装置／画像処理方法がある（例えば、特許文献２参照）。
上記特許文献１および特許文献２に開示の技術によれば、スライド対象画像として予め選択して記憶させておいた複数の画像を所定時間間隔で順次読み出して切替え表示（いわゆるスライドショー）していくことができる。
【先行技術文献】
【特許文献】
【０００３】
【特許文献１】特開平１１−３３１７３９号公報
【特許文献２】特開２００４−１３４９４３号公報
【発明の概要】
【発明が解決しようとする課題】
【０００４】
しかしながら、スライドショー表示され、順次切替えられる画像を見ている途中で表示された画像の表示方法を変更したほうが良い場合（例えば、画像の向きがその前後の画像の向きと異なっていたり、色調が合わないといった場合）がある。このような場合、上記従来の技術ではスライドショー表示される画像は、そのショーを再開する前に各画像毎に設定された画像内容そのものであるため、スライドショー表示の途中では画像表示方法の変更ができないといった課題があり、表示方法を変更するためにはスライドショー表示を中止してスライドショー対象として記憶されている各画像を個別に表示させてその設定を変更するしかないといった不都合があった。
【０００５】
本発明は上記課題を解決するためになされたものであり、スライドショー表示の途中で、表示している画像の加工若しくは編集を行うことのできる画像表示装置及びプログラムの提供を目的とする。
【課題を解決するための手段】
【０００６】
上記課題を解決するために、請求項１に記載の発明では、メモリに記録されている複数の画像を順次スライドショー表示する画像表示装置であって、スライドショー表示中の任意のタイミングで画像を表示させたまま停止させる表示停止指示手段と、前記表示停止指示手段によって前記画像が表示されたまま停止しているとき、画像をコマ送り表示して対象の画像を指定する指定手段と、前記指定手段で指定されて表示されている画像の加工若しくは編集処理を行う処理手段と、前記処理手段によって加工若しくは編集処理された画像と対応付けて、前記メモリに記録されている画像の記録内容を前記加工若しくは編集処理の結果を反映させるように更新する記憶更新手段と、前記記憶更新手段による更新後、前記表示停止指示手段によって停止させられていたスライドショー表示を再開させる表示再開手段と、を備えたことを特徴とする画像表示装置を提供する。
【０００７】
また、請求項２に記載の発明では、表示再開指示手段は、加工若しくは編集処理された画像の一つ前の画像からその画像が属する画像群の表示を再開させる手段を含むことを特徴とする請求項１に記載の画像表示装置を提供する。
これにより、今回加工若しくは編集処理した画像の直前の画像からスライドショー表示できるので加工若しくは編集した画像が前後の画像との間で違和感のないものかどうかを確認でき、違和感があれば、直ちに表示を停止させて加工若しくは編集を行うこともできる。
【０００８】
また、請求項３に記載の発明では、表示再開指示手段は、加工若しくは編集処理された画像の一つ後の画像からその画像が属する画像群の表示を再開させる手段を含むことを特徴とする請求項１に記載の画像表示装置を提供する。
これにより、今回加工若しくは編集処理した画像の直後の画像からスライドショー表示できるので次の画像に対するチェックを迅速に行うことができる。
【発明の効果】
【０００９】
本発明によれば、スライドショー表示中の任意のタイミングで画像を表示させたままスライドショー表示を一時停止して、コマ送り表示して指定された画像に対して直ちに加工若しくは編集処理を行い、加工若しくは編集処理の結果が反映されるように画像の記録内容が更新され、この加工若しくは編集処理された画像よりスライドショー表示が再開されるので、従来のようにスライドショー表示前に各種の加工若しくは編集処理を行わなくても、スライドショー表示を行いながら所望の画像を指定して加工若しくは編集ができる。
【図面の簡単な説明】
【００１０】
【図１】スライドショー表示システムの説明図である。
【図２】画像表示装置の要部の電子回路構成の一実施例を示す図である。
【図３】キー入力部の一実施例を示す図である。
【図４】保存メモリに割り当てられる記憶領域の一実施例を示す図である。
【図５】スライドショー表示時の画像表示装置の動作概要を示すフローチャートである。
【図６】画像の加工／編集処理動作の一実施例を示すフローチャートである。
【図７】画像の加工／編集処理に基づく画像回転の説明図である。
【図８】画像の加工／編集処理に基づく画像切り抜きの説明図である。
【図９】画像の加工／編集処理に基づく画像の色調補正の説明図である。
【図１０】画像の加工／編集処理に基づく画像情報の重畳表示の説明図である。
【図１１】画像の加工／編集処理動作の一実施例を示すフローチャートである。
【図１２】画像の加工／編集処理に基づく画像の並べ替えの説明図である。
【図１３】画像の加工／編集処理に基づく画像削除の説明図である。
【図１４】画像の加工／編集処理に基づく画像情報変更の説明図である。
【図１５】画像の加工／編集処理に基づくＢＧＭ変更の説明図である。
【図１６】画像の加工／編集処理に基づく画像切り替え効果変更の一実施例の説明図である。
【図１７】画像の加工／編集処理に基づく画像切り替え効果変更の一実施例の説明図である。
【発明を実施するための形態】
【００１１】
以下の説明で、「画像データ等」とは静止画データ及びその画像情報、若しくは、動画データ及びその画像情報をいう。なお、動画データの場合は音声データを含む。また、以下の説明では受信または入力する画像データが静止画データの場合はＪＰＥＧ（Joint Photograph cording Experts Group）圧縮されているものとし、動画データの場合はＭＰＥＧ（Motion Picture Experts Group）圧縮されているものとする。
【００１２】
図１は本発明の画像表示装置に係るスライドショー表示システムの説明図であり、符号１は画像表示装置である。また、符号２は、ユーザの操作により画像表示装置１に指示を与えることのできるリモートコントロール装置（以下、リモコン装置と記す）、符号１００はデジタルカメラや若しくはパーソナルコンピュータ（以下、パソコン）等の外部画像記録装置、符号１５０は外部画像記録装置１００から画像を取り込む際に用いるＵＳＢケーブル、符号２００はテレビ受信装置等の外部画像表示装置を示す。また、符号２５０はテレビケーブル等の外部画像表示装置との接続ケーブルであり、テレビ受信装置２００と接続画像表示装置１に接続され画像表示装置１で再生された映像信号（映像データ）をテレビ受信装置２００等の外部画像表示装置に送信するために用いられる。
【００１３】
画像表示装置１は、デジタルカメラ、携帯電話機、パソコン等の画像表示端末でもよく、画像表示装置１自体には画像表示部を備えた構成の装置とし、テレビ受信装置２００等の外部画像表示装置に接続された場合は一覧表示画面や再生画像の表示を外部画像表示装置に行わせるようにし、外部画像表示装置に接続された場合は一覧表示画面や再生画像の表示を画像表示装置１自体に備えられた画像表示部に行わせるように制御するように構成されたいわゆる画像表示装置１でもよく、再生画像の表示をもっぱら外部画像表示装置に行うよう制御する装置であって、画像表示装置１自体には画像表示部を備えていない専用の画像表示制御装置であってもよい。
【００１４】
画像表示装置１がデジタルカメラや、携帯電話機や、パソコンのようにスライドショー表示をアプリケーションの一つとして実行する画像表示端末の場合は、図１でテレビ受信装置２００等の外部画像表示装置およびリモコン装置２は不要である。
【００１５】
また、画像表示装置１がスライドショー表示を自ら表示する表示部を備えた画像表示装置１の場合は図１でテレビ受信装置等の外部画像表示装置の接続はオプションであり、ユーザの所望により接続し、スライドショー表示を画像表示装置１側で行うか、外部画像表示装置で行なうかはリモコン２の操作等で切り替えることができるものとする。
【００１６】
また、画像表示装置１が画像表示部を有しない専用の画像表示制御装置の場合は、テレビ受信装置等の外部画像表示装置の接続は必須となる。
【００１７】
画像表示装置１は大容量の保存メモリを備え、接続された外部画像記録装置１００から取り込んだ画像データ（画像ファイル）を記録し、記憶されている画像を一定間隔で自動的に再生表示（いわゆる、スライドショー表示）することができる。また、スライドショー表示している所望の画像を加工／編集し、加工／編集した画像が属する画像群またはそれらに係わる情報で元画像を含む画像群またはそれらに係わる情報を置換して保存し、次回のスライドショー表示からこの加工／編集を反映したスライドショー表示を行うことを可能にする。
【００１８】
なお、画像表示装置１が電子アルバム装置や専用の画像表示制御装置のようにテレビ受信装置２００等の外部画像表示装置に接続してスライドショー表示する装置の場合は、外部画像表示装置に接続されると、一覧表示画面を生成し、縮小画像（例えば、サムネイル画像）と共にその外部表示装置に送ってその画面に表示させる。また、その一覧表示画面上で選択された画像を保存メモリから取り出して再生し、その外部画像表示装置の画面サイズにあうように拡大して出力し、スライドショー表示させる。この際、スライドショー表示している所望の画像を加工／編集し、加工／編集した画像が属する画像群またはそれらに係わる情報で元画像を含む画像群またはそれらに係わる情報を置換して保存し、次回のスライドショー表示からこの加工／編集を反映したスライドショー表示を行うことを可能にする。
【００１９】
図２は、図１に示した画像表示装置１の要部の電子回路構成の一実施例を示す図である。図２で、画像表示装置１は、画像処理部１０、外部画像記録装置１００から送信された画像データ等を受信する画像受信部１１、光ディスクやメモリカード等の記録媒体に記憶された画像を読み取って入力する画像入力部１２、ＤＭＡコントローラ１３、ＤＲＡＭインターフェイス（Ｉ／Ｆ）１４、ＤＲＡＭ１５、保存メモリ１６、制御部１７、ＪＰＥＧ回路１８、ＶＲＡＭ１９、ＶＲＡＭコントローラ２０、ＶＲＡＭ１９、デジタルビデオエンコーダ２１、表示部２２、アナログ映像信号出力部２３、デジタル映像信号出力部２４、リモコン信号受信２５部、ＭＰＥＧ回路２６、音声出力部２７、及びキー入力部３０を備えている。また、画像表示装置１がデジタルカメラやカメラ付携帯電話機である場合は、画像入力部１２の代わりに被写体を撮影して画像データを生成する撮像部を設けるようにすればよい。
【００２０】
なお、図２で、波線枠で示されている回路は接続される外部機器により機能が不要となる場合がある。例えば、画像表示装置１がアナログ映像を表示するテレビ受信装置のような外部画像表示装置にのみ接続可能な構成の画像制御装置の場合は、デジタルビデオエンコーダ２１、及び表示部２２は不要であり、もっぱらデジタル映像を表示する外部画像表示装置（例えば、デジタルテレビ）にのみ接続可能な構成の画像制御装置の場合は、アナログ映像信号出力部２３は不要となる。同様に、表示部２２を備えている場合はアナログ映像信号出力部２３、デジタル映像信号出力部２４は必須ではなく、キー入力部３０を備えている場合は、リモコン信号受信部２５は必須ではない。また、画像表示装置１を静止画表示専用装置として構成する場合にはＭＰＥＧ回路２６は不要である。
【００２１】
画像処理部１０は、制御部１７の制御下で、画像の回転や、切抜きや、拡大／縮小や、色調補正等の処理を行う。なお、画像処理部１０はプログラムで構成することができる。
【００２２】
画像受信部１１はＵＳＢインターフェイスを含み、ＵＳＢケーブル１５０（図１）を介してデジタルカメラや携帯電話機やパソコン等の外部画像記録装置１００から送信された画像データ等の信号を受信して復号し、ＤＲＡＭコントローラ１３を介してＤＲＡＭ１５に記憶する。
【００２３】
画像入力部１２は記録媒体に記録されている画像データ（圧縮画像データ）等のデータを読み取る読取装置（例えば、光ディスク読取装置やメモリカードリーダ等）からなり、装着された記録媒体から読み取った画像データ等をＤＲＡＭコントローラ１３を介してＤＲＡＭ１５に記憶する。
【００２４】
ＤＲＡＭコントローラ１３は、画像受信部１１または画像入力部１２で取り込んだ画像データ（圧縮画像データ）をＤＲＡＭインターフェイス（Ｉ／Ｆ）１４を介してバッファメモリとして使用されるＤＲＡＭ１５にＤＭＡ転送する。
【００２５】
ＤＲＡＭ１５は一時記憶領域または作業用領域として用いられ、画像受信部１１または画像入力部１２で取り込んだ画像データ（圧縮画像データ）の一時記憶領域や、画像管理レコードのソート（並べ替え）や、圧縮画像データの伸張処理や、サムネイル画像等の縮小画像生成処理や、画像の加工／編集時等の作業用領域等として用いられる。
【００２６】
保存メモリ１６は、光ディスク、フラッシュメモリ、若しくは他の公知の大容量のリムーバルなメモリからなり、画像受信部１１または画像入力部１２から取り込まれた画像データ等を記録している。なお、保存メモリ１６の記録領域の構成例を図４に示す。
【００２７】
制御部１７は、この画像表示装置１全体の制御動作を司るものであり、ＣＰＵ若しくはＭＰＵ（以下、ＣＰＵ）と、後述するような、キー入力部１０から受け取る信号に対応する加工／編集内容の判定動作や画像データのスライドショー表示時の画像再生動作等を含む該ＣＰＵで実行される動作プログラムを固定的に記憶したフラッシュメモリ等のプログラム格納メモリ、及びワークメモリとして使用されるＲＡＭ等により構成されている。また、保存メモリ１６に代えて、プログラム格納メモリに画像表示装置１に接続されるテレビ受信機２００等の外部画像表示装置の表示部の画面サイズに応じて予め生成された複数種類の一覧表示画面用のフォーマットデータや各一覧表示画面の１行あたりの表示可能数および行数等の定数等を格納するようにしてもよい。
【００２８】
制御部１７は、また、キー入力部３０（またはリモコン装置２）から受け取る信号に対応してフラッシュメモリ等のプログラム格納用メモリに格納されている各モードに対応のプログラムやメニューデータを取り出して、画像表示装置１の他の各機能の実行制御、例えば、画像データの受信や読み取り、画像の加工／編集および加工／編集した画像の保存、保存メモリ１６に記録した画像の再生およびスライドショー表示等の実行制御等や、機能選択時の機能選択メニューの表示制御等を行う。
【００２９】
ＪＰＥＧ回路１８は、ＡＤＣＴ（Adaptive Discrete Cosine Transform：適応離散コサイン変換）、エントロピ符号化方式であるハフマン符号化等の処理によりデータ圧縮されている画像データ（静止画データの圧縮画像データ）を、再生表示モードで、データ圧縮した手順とまったく逆の手順で伸張する。
【００３０】
ＶＲＡＭコントローラ２０は、ＪＰＥＧ回路１８で伸張した画像データをＶＲＡＭ１９に展開して記憶させた上で、このＶＲＡＭ１９から定期的に読み出し、これらの画像データをデジタル映像信号出力部２４を介してデジタルビデオエンコーダ２１に出力してビデオ信号を生成させ表示部２２に出力する。デジタル映像を表示する外部画像表示装置に出力する場合も同様である。また、アナログ映像を表示する外部画像表示装置の場合はこれらの画像データをアナログ映像信号出力部２３を介して外部画像表示装置に出力する。
【００３１】
デジタルビデオエンコーダ２１は、上記ＶＲＡＭ１９に展開して記憶されている画像データをＶＲＡＭコントローラ２０を介してＶＲＡＭ１９から定期的に読み出し、これらのデータを基にデジタル映像信号（ビデオ信号）を生成して表示部２２に出力する。
【００３２】
表示部２２は液晶モニタ画面を有し、デジタルビデオエンコーダ２１からのビデオ信号に基づいた表示を行うことで、その時点でＶＲＡＭコントローラ２０から取込んでいる画像情報に基づく画像やデータ、表示用のフォーマット画面や文字メッセージ、アイコン等を液晶モニタ画面に表示する。
【００３３】
アナログビデオ信号出力部２３はテレビケーブル等の信号入出力用ケーブルを接続する端子部を含み、ＶＲＡＭコントローラ２０からの画像データをアナログビデオ信号に変換してアナログ映像を表示する外部画像表示装置に出力する。
【００３４】
デジタルビデオ信号出力部２４はテレビケーブル等のケーブルを接続する端子部を含み、デジタルビデオエンコーダ２１からのデジタルビデオ信号をデジタル映像を表示する外部画像表示装置に出力する。
【００３５】
リモコン信号受信部２５はリモコン装置２（図１）からのリモコン信号を受信すると、受信信号を該信号に応じた所定のコードに変換して制御部１７に送る。
【００３６】
ＭＰＥＧ回路２６はデータ圧縮されている画像データ（動画データの圧縮データ）を動画再生時に、データ圧縮した手順とまったく逆の手順で伸張する。
【００３７】
音声出力部２７は、動画表示モードの場合に動画に関連付けて保存メモリ１６に記録されている音声データを音声に復元して外部に出力する。なお、音声出力部２７を操作ガイド等の音声案内メッセージ出力用に用いることもできる。
【００３８】
キー入力部３０は後述する図３に示すような入力キー３０−１〜３０−１４を備え、これらのいずれかが押されると押されたキーに対応付けられた状態信号を制御部１７に送出する。なお、リモコン装置２もキー３０−１〜３０−１４と同様の入力キーを備えているものとする。
【００３９】
図３はキー入力部の一実施例を示す図であり、キー入力部３０は、静止画再生ボタン３０−１、動画再生ボタン３０−２、カーソルキー３０−３、確認キー３０−４、スクロールボタン３０−５、画像表示装置指定ボタン３０−６、３０−７、画像加工／編集指示ボタン３０−８、文字入力ボタン３０−９、電源ボタン３０−１０、終了ボタン３０−１１、音量調整ボタン３０−１２、戻しボタン３０−１３、記録ボタン３０−１４等のキーを備え、ユーザがキー入力部３０の上記いずれかのキーまたはボタンを押すたびに、指示に対応する信号が制御部１７に送出される。
【００４０】
図３で、静止画再生ボタン３０−１が押されるとキー入力部３０から画像表示装置１１の起動信号及びモード指定信号が送出され、画像表示装置１１は起動のあと静止画表示モードとなり、スライドショー表示する指定期内の対象期間内の代表的な複数の静止画像の選択を促す。動画再生ボタン３０−２が押されると画像表示装置１１の起動信号及びモード指定信号が送出され、画像表示装置１１は起動のあとは動画表示モードとなり、スライドショー表示する指定期内の対象期間内の代表的な複数の動画像の選択を促す。
【００４１】
カーソルキー３０−３は上方移動操作、下方移動操作、左方移動操作、左方移動操作可能に構成されており、ユーザはカーソルキー３０−３を操作してカーソルを上下左右に移動させ、所望の画像を選択したり、アイコンやメニューの選択指定を行うことができる。また、ユーザが画像加工／編集指示ボタン３０−８が押したあと、更に回転指示ボタンが押すと、カーソルキー３０−３の左操作（左矢印「←」操作）で左回転指示を、右操作（右矢印「→」操作）で右回転指示を行うことができる。
【００４２】
確認キー３０−４はカーソルキー３０−４の操作により選択指定された画像やアイコン、メニュー、入力文字等の確認を行うキーであり、確認キー３０−４が押されると確認（確定）信号が制御部１７に送られる。
【００４３】
スクロールボタン３０−５は画面を前後、あるいは左右にスクロールさせるための操作キーであり、前後及び左右スクロール用４個のボタン（図３の例では前後左右を示す４個の三角形のボタン）が設けられている。ユーザはスクロールボタン３０−５を操作して一覧表示画面を前後または左右にスクロールさせることができる。
【００４４】
画像表示装置指定ボタン３０−６、３０−７は一覧表示画面や再生画像を表示する画像表示装置を指定するためのキーであり、図３に示す例ではボタン３０−６はテレビ受信装置２００に、ボタン３０−７は画像アルバム装置１の表示部２２に対応付けられている。また、ボタン３０−８はスライドショー表示を表示中に停止させ、画像加工／編集を可能とするためのキーであり、ユーザはボタン３０−８を用いて画像を停止させ、加工／編集、または削除等の処理を行うことができる。
【００４５】
文字入力ボタン３０−９は「０」〜「９」の１０個の数字／文字キーからなり、ユーザが必要な情報を入力するために用いることができる。
【００４６】
また、文字入力ボタン３０−９は、画像の加工／編集指示ボタン３０−８が押されると加工／編集内容指示ボタンとして機能するものとする。すなわち、文字入力ボタン３０−９の１０個のボタンのうち、数字「１」で示されているボタンは画像の回転指示ボタン、数字「２」で示されているボタンは画像の切り抜き指示ボタン、数字「３」で示されているボタンは画像の色調補正指示ボタン、数字「４」で示されているボタンは画像情報表示指示ボタン、数字「５」で示されているボタンは画像の並べ替え指示ボタン、数字「６」で示されているボタンは画像の削除指示ボタン、数字「７」で示されているボタンは画像の表示情報変更ボタン、数字「８」で示されているボタンはＢＧＭの変更指示ボタン、数字「９」で示されているボタンは画像の切り替え効果変更指示ボタン、数字「１０」で示されているボタンは画像加工／編集後のスライドショー表示再開指示ボタンとして機能するものとする。
【００４７】
電源ボタン３０−１０はキー入力部３０の電源オン／オフを行うキーであり、終了ボタン３０−１１を押すと、終了指示信号が画像表示装置１１に送出され、画像表示装置１１の各種のモード実行を終了させる。音量調整ボタン３０−１２は動画再生表示モード時の音声や静止画再生表示モード時にナレーションやＢＧＭ等の音声を出力するようにした場合の音声の音量を調整操作するキーである。
【００４８】
戻しボタン３０−１３はスライドショー表示を停止させた場合に、所望の画像が表示されるように画像を１コマずつ戻す場合に用いる遡及表示操作キーである。また、記録ボタン３０−１４は外部画像記録装置１００から画像データを受信したり、メモリカード等の記録媒体に記録されている画像データを読み取る場合に操作するキーであり、記録キー３０−４が押されるとキー入力部３０から制御部１７に記録指示信号が送出され、制御部１７は記録モードに移行して上述した画像データの取り込み処理を行い、取り込んだ画像データを保存メモリ１６に記録する。
【００４９】
図４は保存メモリに割り当てられる記憶領域の一実施例を示す図であり、保存メモリ１６の記憶領域には、複数の画像管理レコードを記録する画像管理レコード記録領域１６１、画像ファイル（静止画像ファイル若しくは動画像ファイル）を記録する画像ファイル記録領域１６２、及び画像ファイル記録領域に動画像ファイルが記録されている場合にその動画像ファイルに関連付けて記録される音声ファイルや、ＢＧＭ等の音楽データファイルを記録する音声ファイル記録領域１６３、各画像の撮影日付や画像記録サイズ、絞り等の撮影情報やその他画像情報を記録する画像情報記録領域１６４、および一覧表示用の画面フォーマットデータや定数等を記録する領域１６５を有している。
【００５０】
画像管理レコード記録領域１６１に記録されている画像管理レコードはスライドショー表示する画像群毎に作成され、記録されている。図示しない各画像管理レコードの先頭には代表画像に対応する画像データ（画像ファイル）の先頭アドレスが記録され、それに続けてスライドショー表示する順にその画像群に属する各画像に対応する画像データの先頭アドレスが記録されている。
【００５１】
図５はスライドショー表示時の画像表示装置１の動作概要を示すフローチャートであり、このフローチャートは画像表示装置１のコンピュータに本発明のスライドショー表示機能を実現させるためのプログラムを説明するためのものである。以下に示す処理は基本的に制御部１７が予めフラッシュメモリ等のプログラム格納メモリに記憶されたプログラムに従って実行する例で説明するが、全ての機能をプログラム格納メモリに格納する必要はなく、必要に応じて、その一部若しくは全部をネットワークを介して受信して実現するようにしてもよい。以下、図１〜図５、および図７〜図１０に基いて説明する。また、画像表示装置１は、少なくとも、スライドシュー表示を行うスライドシュー表示モードを有しているものとする。
なお、図５の説明では静止画のスライドショー表示を例として説明するが、動画についても同様に適用できる。また、下記の説明では、画像表示装置１の電源がオンで、スライドショー表示モードが選択され、且つ静止画再生ボタン３０−１が押されたものとして説明する。
【００５２】
静止画再生ボタン３０−１が押されると静止画表示モードとなり、キー入力部３０から画像表示装置１１の起動信号及びモード指定信号が送出され、画像表示装置１は静止画表示モードとなり、スライドショー表示する静止画像群を代表する画像のサムネイル画像を一覧表示して選択を促し、キー入力部３０からの信号を基にカーソルキー３０−４の操作（以下、「カーソル操作」と記す）による代表画像の選択がなされたか否かを調べ、ユーザがカーソルキー３０−４の操作（以下、「カーソル操作」と記す）により代表画像を指定するとステップＳ２に進む（ステップＳ１）。
【００５３】
制御部１７は、保存メモリ１６の画像ファイル記録領域１６２に記録されている複数の画像の中から指定された画像を代表とする画像群を指定された順序で自動再生し、ＶＲＡＭコントローラ２０を介してＶＲＡＭ１９に送り、ＶＲＡＭコントローラ２０およびデジタルビデオエンコーダ２１を介して所定時間間隔で表示部２２に表示（スライドショー表示）させる（ステップＳ２）。
【００５４】
次に、制御部１７はキー入力部３０からの信号を基に加工／編集指示ボタン３０−８が押されたか否かを調べ、加工／編集指示ボタン３０−８が押された場合はステップＳ５に進み、押されなかった場合はステップＳ４に進む（ステップＳ３）。
【００５５】
制御部１７は指定した画像群のスライドショー表示が終了したか否かを調べ、スライド表示処理が終了した場合はスライドショー表示モードを終了し、そうでない場合はステップＳ２に戻って指定した画像群のスライドショー表示を続行する（ステップＳ４）。
【００５６】
加工／編集指示ボタン３０−８が押された場合はスライドショー表示を停止してその時点で表示部２２に表示されていた画像をそのまま表示し（ステップＳ５）、キー入力部３０からの信号を基に確認キー３０−４が押されたか否かを調べ、確認キー３０−４が押された場合はその画像を加工／編集対象の画像としてステップＳ１０に進み、そうでない場合はステップＳ７に進む（ステップＳ６）。
【００５７】
ユーザは戻しボタン３０−１３を押して画像を１コマずつ前に戻すことができるので、制御部１７は、キー入力部３０からの信号を基に戻しボタン３０−１３が押されたか否かを調べ、戻しボタン３０−１３が押された場合はステップＳ８に進み、そうでない場合はステップＳ９に進む（ステップＳ７）。
【００５８】
戻しボタン３０−１３が押された場合は表示されている画像の１コマ前の画像データを保存メモリ１６から取り出して再生し、ＶＲＡＭコントローラ２０を介してＶＲＡＭ１９に送り、ＶＲＡＭコントローラ２０およびデジタルビデオエンコーダ２１を介して表示部２２に表示させる（ステップＳ８）。
【００５９】
制御部１７は、キー入力部３０からの信号を基に確認キー３０−４が押されたか否かを調べ、確認キー３０−４が押された場合はその画像を加工／編集対象の画像としてステップＳ１０に進み、そうでない場合はステップＳ７に戻る（ステップＳ９）。
【００６０】
上記ステップＳ６またはステップＳ９で加工／編集対象の画像が決定すると、制御部１７は図６または図１１に示す画像の加工／編集処理を実行する（ステップＳ１０）。
【００６１】
画像の加工／編集処理が終わると、画像の回転、削除、色調補正、画像情報表示のように加工処理された画像（または画像群）についてはその画像を保存メモリ１６に記録されている加工／編集処理前の画像（または画像群（上記ステップＳ１で指定された画像を代表とする画像群））と置き換えて記録する。
また、並べ替えや削除等のように画像の表示順序に係わる編集処理の場合は画像管理レコード記録領域１６１に記録されている画像管理レコードのうち、加工／編集対象の画像が属している画像群の画像管理レコードを書き換える。
更に画像情報の変更やＢＧＭの変更や、次画像への画像切り替え効果変更等のように画像付加情報を変更した場合は、その画像付加情報で付加情報記録領域１６４に記録されている、加工／編集対象の画像またはその画像が属する画像群の付加情報の変更部分を書き換える（ステップＳ１１）。
【００６２】
制御部１７は、キー入力部３０からの信号を基にスライドショー表示再開指示ボタン（実施例では、文字入力キー３０−１０の文字「０」に対応するボタン４が押されたか否かを調べ、スライドショー表示再開指示ボタンが押された場合はステップＳ２に戻り、そうでない場合はスライドショー表示モードを終了する（ステップＳ１２）。
【００６３】
上記ステップＳ１２で、スライドショー表示再開指示ボタンが押された場合は上記ステップＳ１０で加工若しくは編集処理された画像からその画像が属する画像群の表示を再開させるようにしてステップＳ２に戻るようにしてもよい。このようにすれば、今回加工／編集処理した画像からスライドショー表示できるので加工／編集結果を直ちに確認できる。
【００６４】
また、上記ステップＳ１２で、スライドショー表示再開指示ボタンが押された場合は上記ステップＳ１０で加工若しくは編集処理された請求項９に記載の発明では、表示再開指示手段は、加工若しくは編集処理された画像の一つ前の画像からその画像が属する画像群の表示を再開させるようにしてステップＳ２に戻るようにしてもよい。このようにすれば、今回加工／編集処理した画像の直前の画像からスライドショー表示できるので加工／編集した画像が画像群の中で違和感のないものかどうかを確認できるし、違和感があれば、直ちに表示を停止させて加工／編集指示を行うことができる。
【００６５】
また、上記ステップＳ１２で、スライドショー表示再開指示ボタンが押された場合は上記ステップＳ１０で加工若しくは編集処理された画像の一つ後の画像からその画像が属する画像群の表示を再開させるようにしてステップＳ２に戻るようにしてもよい。このようにすれば、今回加工／編集処理した画像の直後の画像からスライドショー表示できるので次の画像に対するチェックを迅速に行うことができる。
【００６６】
また、キー入力部３０に上記ステップＳ１２でスライドショー表示再開指示ボタンが押された場合に再開表示する画像を指定するボタンを設けるようにしてもよい。また、ライドショー表示再開指示ボタンそのものをライドショー表示再開指示ボタンとして機能させるようにしてもよい。
【００６７】
上記図５のフローチャートに示した動作により、スライドショー表示時に所望の画像が表示されたタイミングで加工／編集指示を行うとそのスライドショー表示を停止してその所望の画像に対して直ちに加工／編集を行い、その加工／編集処理を行った画像群等をスライドショー表示対象画像群等と置換して記憶することができるので、当該画像群の次回のスライドショー表示時には加工／編集が施された画像が編集後の順序で表示されることとなる。したがって、従来のようにスライドショー表示前に各種の加工処理を行わなくても済む。つまり、スライドショー表示を行いながら画像の加工／編集が可能となった。
【００６８】
図６は画像の加工／編集処理動作の一実施例を示すフローチャートであり、図５に示したフローチャートのステップＳ１０の加工／編集処理の詳細を示すフローチャートである。図６では、画像の回転、切り抜き、色調補正、画像情報の表示等の加工処理動作を例として示す。以下、図１〜図１０を基に説明する。
【００６９】
図５のフローチャートのステップＳ６またはステップＳ９で加工／編集対象の画像が決定すると、制御部１７はキー入力部３０からの信号を調べて画像の回転指示があったか否か（文字入力ボタン３０−９のボタン「１」が押されたか否か）を調べ、回転指示があった場合はステップＳ１０−２に進み、そうでない場合はステップＳ１０−７に進む（ステップＳ１０−１）。
【００７０】
画像の回転指示があると、制御部１７はキー入力部３０からの信号を調べてカーソルキー３０−３が左操作された場合（「←」部分が押された場合）は左回転指示があったものと判定してＳ１０−３に進み、右操作された場合（「→」部分が押された場合）は右回転指示があったものと判定してＳ１０−４に進む（ステップＳ１０−２）。
【００７１】
左回転指示があると、制御部１７は画像処理部１０に回転指示信号を送り、表示されている画像の画像データをカーソルキー３０−３の押圧回数（または時間）に応じて左回転するように座標変換させステップＳ１０−５に進み（ステップＳ１０−３）、右回転指示があると、カーソルキー３０−３の押圧回数（または時間）に応じて右回転するように座標変させステップＳ１０−５に進む（ステップＳ１０−３）。
【００７２】
制御部１７は画像処理部１０に拡大／縮小指示信号を送り、上記ステップＳ１０−３で座標変換された画像データを表示部２２の画面サイズに合う大きさに拡大／縮小処理させからＶＲＡＭコントローラ２０を介してＶＲＡＭ１９に送り、図７（ｂ）、（ｃ）に示すように表示部２２に表静止画表示させる（ステップＳ１０−５）。
【００７３】
制御部１７はキー入力部３０からの信号を調べて確認キー３０−４が押されたか否かを調べ、確認キー３０−４が押された場合は図５のステップＳ１１に進み、そうでない場合はステップＳ１０−２に戻る。なお、画像回転の説明図を図７に示す（（ステップＳ１０−６）。
【００７４】
制御部１７はキー入力部３０からの信号を調べて画像の切り抜き指示があったか否か（文字入力ボタン３０−９のボタン「２」が押されたか否か）を調べ、切り抜き指示があった場合はステップＳ１０−８に進み、そうでない場合はステップＳ１０−１５に進む（ステップＳ１０−７）。
【００７５】
画像の切り抜き指示があると、制御部１７は図８（ａ）に示すような切り抜き枠（切り抜きガイド）８１を表示する（ステップＳ１０−８）。
【００７６】
ユーザはカーソル操作により切り抜き枠８１の移動先を指定できるので、制御部１７はキー入力部３０からの信号を調べて画像処理部１０に切り抜き枠移動指示信号を送り、カーソル操作によって指定された位置に切り抜き枠８１を移動させるように座標変換させ、表示部２２に表示されている画像上に重畳表示させる（ステップＳ１０−９）。
【００７７】
ユーザはカーソル操作により切り抜き枠８１の拡大／縮小を指定できるので、制御部１７はキー入力部３０からの信号を調べて画像処理部１０に拡大／縮小指示信号を送り、カーソル操作によって指定された大きさに切り抜き枠８１を拡大／縮小させるように座標変換させ、拡大／縮小された切り抜き枠８２（図８（ｂ））を表示部２２に表示されている画像上に重畳表示させる（ステップ１０−１０）。
【００７８】
また、制御部１７はキー入力部３０からの信号を調べて確認キー３０−４が押されたか否かを調べ、確認キー３０−４が押された場合は切り抜き部分が確認されたものとしてステップＳ１０−１２に進み、そうでない場合はステップＳ１０−９に戻る（ステップＳ１０−１１）。
【００７９】
制御部１７は画像処理部１０に切り抜き指示信号を送り、切り抜き枠８２で囲まれた部分に対応する画像データを切り取らせ（ステップＳ１０−１２）、図８（ｃ）に示すように切り抜いた画像データを表示部２２の画面サイズに合う大きさに拡大／縮小処理させてＶＲＡＭコントローラ２０を介してＶＲＡＭ１９に送り、図７（ｃ）に示すように表示部２２に表静止画表示させる（ステップＳ１０−１３）。
【００８０】
次に、制御部１７はキー入力部３０からの信号を基に確認キー３０−４が押されたか否かを調べ、確認キー３０−４が押された場合は図５のステップＳ１１に進み、そうでない場合はステップＳ１０−９に戻る。なお、画像切抜きの説明図を図８に示す（ステップＳ１０−１４）。
【００８１】
制御部１７はキー入力部３０からの信号を調べて色調補正指示があったか否か（文字入力ボタン３０−９のボタン「３」が押されたか否か）を調べ、色調補正指示があった場合はステップＳ１０−１６に進み、そうでない場合はステップＳ１０−７に進む（ステップＳ１０−１５）。
【００８２】
色調補正指示があると、ユーザはカーソル操作（カーソルキー３０−３の上下左右操作）により色調調整指示を行うことができるので、制御部１７はキー入力部３０からの信号を調べカーソル操作に対応する色調補正信号を画像処理部１０に送り、表示されている画像に対応する画像データの色調を図９（ｂ）の例に示すように補正させてＶＲＡＭコントローラ２０を介してＶＲＡＭ１９に送り、表示部２２に静止画表示させる（ステップＳ１０−１６）。
【００８３】
次に、制御部１７はキー入力部３０からの信号を調べて確認キー３０−４が押されたか否かを調べ、確認キー３０−４が押された場合は図５のステップＳ１１に進み、そうでない場合はステップＳ１０−１６に戻る。なお、色調補正の説明図を図９に示す（ステップＳ１０−１７）。
【００８４】
制御部１７はキー入力部３０からの信号を調べて画像情報表示指示があったか否か（文字入力ボタン３０−９のボタン「４」が押されたか否か）を調べ、画像情報表示指示があった場合はステップＳ１０−１９に進み、そうでない場合はステップＳ１０−２１（図１１）に進む（ステップＳ１０−１８）。
【００８５】
画像情報表示指示があると、制御部１７は保存メモリ１６の画像情報記録領域１６４に記録されている当該画像の画像情報取り出して、ＶＲＡＭコントローラ２０を介してＶＲＡＭ１９に送り、図１０（ｂ）に示すように表示部２２に表示されている画像上に重畳させて表示させる（ステップＳ１０−１９）。
【００８６】
制御部１７はキー入力部３０からの信号を調べて確認キー３０−４が押されたか否かを調べ、確認キー３０−４が押された場合はステップＳ１０−２０−２に進み、そうでない場合はステップＳ１０−１９に戻る（ステップＳ１０−２０−１）。
【００８７】
制御部１７は重畳表示されている画像情報を消去してステップＳ１０−１に戻る。なお、画像情報表示の説明図を図１０に示す（ステップＳ１０−２０−２）。
【００８８】
図７は画像の加工／編集処理に基づく画像回転の説明図であり、図７（ａ）は横向きに撮影された画像（横画像）の例を示し、図７（ｂ）はカーソル操作による左回転指示により図６のフローチャートのステップＳ１０−３で左回転され、ステップＳ１０−５で縦画像として画面サイズの大きさに縮小されて表示された画像の例を示す。また、図７（ｃ）は右回転指示により図６のフローチャートのステップＳ１０−４で右回転され、縦画像として画面サイズの大きさに縮小されて表示された画像の例を示す。
【００８９】
図８は画像の加工／編集処理に基づく画像切り抜きの説明図であり、図８（ａ）は加工／編集指示によりスライドショー表示が一時停止され、切り抜き対象画像上に表示される切り抜き枠８１の例を示す。また、切り抜き枠８１はカーソル操作による指示により縮小／拡大、回転、移動ができる。図８（ｂ）は拡大された切り抜き枠８２の例を示し、図８（ｃ）は切り抜き後、画面サイズに拡大された画像の例を示す。
【００９０】
図９は画像の加工／編集処理に基づく画像の色調補正の説明図であり、図９（ａ）は光源などの原因により緑がかって撮れるなど色調が悪い画像の例を示し、図９（ｂ）は最適なレベルに色調補正された画像の例を示す。なお、色調補正処理ではセピア色の画像ややモノクロ画像などの色調加工も可能である。
【００９１】
図１０は画像の加工／編集処理に基づく画像情報の重畳表示の説明図であり、図１０（ａ）は加工／編集指示により停止したスライドショー画像の例、図１０（ｂ）は画像情報表示指示によりその画像上に重畳表示された画像情報の例を示す。ユーザはリモコン装置２等のキー入力部３０の画像情報表示指示キーの操作により、画像情報表示のオン／オフ切り替えを行なうことができる（図６のステップＳ１０−１９〜Ｓ１０−２０−２参照）。
【００９２】
図１１は画像の加工／編集処理動作の一実施例を示すフローチャートであり、図５に示したフローチャートのステップＳ１０の加工／編集処理の詳細を示すフローチャートである。図１１では、画像の並べ替え、削除、画像情報の変更表示、ＢＧＭ変更、画像の切り替え効果変更等の処理動作を例として示す。以下、図１〜図５、図１１〜図１７を基に説明する。
【００９３】
図５のフローチャートのステップＳ６またはステップＳ９で加工／編集対象の画像が決定すると、制御部１７はキー入力部３０からの信号を調べて画像の並べ替え指示があったか否か（文字入力ボタン３０−９のボタン「５」が押されたか否か）を調べ、並べ替え指示があった場合はステップＳ１０−２２に進み、そうでない場合はステップＳ１０−２９に進む（ステップＳ１０−２１）。
【００９４】
画像の並べ替え指示があると、制御部１７は表示されている画像が並べ替え対象画像か否かを調べ、並べ替え対象画像の場合はステップＳ１０−２５に進み、そうでない場合はステップＳ１０−２３に進む（ステップＳ１０−２２）。
【００９５】
ユーザはスクロールボタン３０−５を操作して一時停止している画像を前後にスクロールできるので、制御部１７はキー入力部３０からの信号を調べ、スクロールキー３０−５の操作に応じて画像を前後にスクロールさせて表示させる（ステップＳ１０−２３）。
【００９６】
スクロール表示した画像が並べ替え対象の画像のときユーザは確認キー３０−４を押すので、制御部１７はキー入力部３０からの信号を調べて確認キー３０−４が押されたか否かを調べ、確認キーが押された場合は並べ替え対象の画像が指定されたものとしてステップＳ１０−２５に進み、そうでない場合はステップＳ１０−２３に戻る（ステップＳ１０−２４）。
【００９７】
ユーザは上記ステップＳ１０−２４で指定した画像１２１（図１２（ａ））の並べ替え先（挿入先）を選択するためにスクロールボタン３０−５を操作して画像を更に前後にスクロールするので、制御部１７はキー入力部３０からの信号を調べ、スクロールキー３０−５の操作に応じて画像を前後にスクロールさせて表示させる（ステップＳ１０−２５）。
【００９８】
スクロール表示した画像が挿入先の一つ後の画像（例えば画像１２５（図１２（ａ）））の時は、ユーザは確認キー３０−４を押すので、制御部１７はキー入力部３０からの信号を調べて確認キー３０−４が押されたか否かを調べ、確認キーが押された場合は並べ替え対象の画像１２１の並べ替え先（挿入先）が指定されたものとしてステップＳ１０−２７に進み、そうでない場合はステップＳ１０−２５に戻る（ステップＳ１０−２６）。
【００９９】
並べ替え対象の画像の挿入先が指定されると、制御部１７は画像管理レコード記録領域１６１に記録されている画像管理レコードのうちこの画像群の画像管理レコードを取り出し、並べ替え対象の画像１２１の先頭アドレスをＲＡＭに保持すると共にその画像管理レコードにおいて、並べ替え対象の画像１２１の先頭アドレスを一つ後の画像１２２の先頭アドレスで置き換え、以下、順次前繰りに前の画像の先頭アドレスを後の画像の先頭アドレスで置き換える動作を指定された画像の挿入先の一つ前の画像１２４まで繰り返し（図１２（ｂ））、画像の挿入先の一つ前の画像が記録されていた位置にＲＡＭに保持している並べ替え対象の画像１２１の先頭アドレスを書き込む（上書きする）ことにより画像の並べ替えを行う（ステップＳ１０−２７）。
【０１００】
制御部１７はキー入力部３０からの信号を調べて確認キー３０−４が押されたか否かを調べ、確認キー３０−４が押された場合は図５のステップＳ１１に進み、そうでない場合はステップＳ１０−２２に戻る。なお、画像の並べ替えの説明図を図１２に示す（ステップＳ１０−２８）。
【０１０１】
制御部１７はキー入力部３０からの信号を調べて画像の削除指示があったか否か（文字入力ボタン３０−９のボタン「６」が押されたか否か）を調べ、削除指示があった場合はステップＳ１０−３０に進み、そうでない場合はステップＳ１０−３５に進む（ステップＳ１０−２９）。
【０１０２】
画像の削除指示があると、制御部１７は表示されている画像が削除対象画像か否かを促すメッセージ（図示せず）を表示してユーザに確認を促し、ユーザは一時停止時に表示されている画像が削除対象画像の場合は確認キー３０−４を押すので、制御部１７はキー入力部３０からの信号を基に確認キー３０−４が押されたか否かを調べ、確認キー３０−４が押された場合はステップＳ１０−３１に進み、そうでない場合はステップＳ１０−３２に進む（ステップＳ１０−３０）。
【０１０３】
制御部１７はその画像が属する画像群の画像管理レコードに記録されている削除対象画像の先頭アドレスを消去し、空いた部分に隣接した画像の先頭アドレスを書き込んで置き換える動作を繰り返す（ステップＳ１０−３１）。
【０１０４】
制御部１７はキー入力部３０からの信号を調べて確認キー３０−４が押されたか削除指示キーが押されたか否かを調べ、確認キーが押された場合は画像の削除が終了したものとして図５のステップＳ１１に進み、削除指示キーが押された場合はまだ削除する画像があるものとしてステップＳ１０−３３に進む（ステップＳ１０−３２）。
【０１０５】
ユーザは削除する画像を指定するためにスクロールボタン３０−５を操作して画像を更に前後にスクロールするので、制御部１７はキー入力部３０からの信号を調べ、スクロールキー３０−５の操作に応じて画像を前後にスクロールさせ表示させる（ステップＳ１０−３３）。
【０１０６】
スクロール表示された画像が削除対象の画像の場合はユーザは確認キー３０−４を押すので、制御部１７はキー入力部３０からの信号を調べて確認キー３０−４が押されたか否かを調べ、確認キーが押された場合はステップＳ１０−３１に戻り、そうでない場合はステップＳ１０−３３に戻る。なお、画像削除の説明図を図１３に示す（ステップＳ１０−３４）。
【０１０７】
制御部１７はキー入力部３０からの信号を調べて画像情報変更指示があったか否か（文字入力ボタン３０−９のボタン「７」が押されたか否か）を調べ、画像情報変更指示があった場合はステップＳ１０−３６に進み、そうでない場合はステップＳ１０−３９に進む（ステップＳ１０−３５）。
【０１０８】
画像情報変更表示指示があると、制御部１７は停止している画像に重畳表示されている画像情報（図１４（ａ））のうち、変更できる画像情報と共に変更入力を促すメッセージを図１４（ｂ）の例に示すように表示し（ステップＳ１０−３６）、ユーザが入力した情報を表示すると画像情報記録領域１６４（図４）の該当部分を書き換える（ステップＳ１０−３７）。
【０１０９】
制御部１７はキー入力部３０からの信号を調べて確認キー３０−４が押されたか否かを調べ、確認キー３０−４が押された場合は図５のステップＳ１１に進み、そうでない場合はステップＳ１０−３６に戻る。なお、画像情報変更表示の説明図を図１４に示す（（ステップＳ１０−３８）。
【０１１０】
制御部１７はキー入力部３０からの信号を調べてＢＧＭ変更指示があったか否か（文字入力ボタン３０−９のボタン「８」が押されたか否か）を調べ、ＢＧＭ変更指示があった場合はステップＳ１０−４０に進み、そうでない場合はステップＳ１０−４２に進む（ステップＳ１０−３９）。
【０１１１】
制御部１７は保存メモリ１６の音声ファイル記憶領域１６３から別のＢＧＭが記録された音楽ファイルを取り出して伸張処理を施してから音楽データを音声出力部２７に与えてＢＧＭを再生させ、図１５（ｂ）の例に示すように音声出力部２７から新たなＢＧＭを再生出力させる（ステップＳ１０−４０）。
【０１１２】
制御部１７はキー入力部３０からの信号を調べて確認キー３０−４が押されたか否かを調べ、確認キー３０−４が押された場合は図５のステップＳ１１に進み、そうでない場合はステップＳ１０−４０に戻る。なお、ＢＧＭ変更の説明図を図１５に示す（ステップＳ１０−４１）。
【０１１３】
制御部１７はキー入力部３０からの信号を調べ次画像への切り替え効果変更指示があったか否か（文字入力ボタン３０−９のボタン「９」が押されたか否か）を調べ、次画像への切り替え効果変更指示があった場合はステップＳ１０−４３に進み、そうでない場合は図６のステップＳ１０−１に戻る（ステップＳ１０−４２）。
【０１１４】
ユーザはカーソル操作により次画像への切り替え効果を指定できるので、制御部１７はキー入力部３０からの信号を調べ、指定された切り替え効果を示す情報を取得し（ステップＳ１０−４３）、画像処理部１０に指定された切り替え効果を示す情報に応じた制御信号を送って図１５や図１６に示すように切り替え効果を変更して画像を表示させるようにする（ステップＳ１０−４４）。
【０１１５】
制御部１７はキー入力部３０からの信号を調べて確認キー３０−４が押されたか否かを調べ、確認キー３０−４が押された場合は図５のステップＳ１１に進み、そうでない場合はステップＳ１０−４３に戻る。なお、画像切り替え効果変更の説明図を図１６、図１７に示す（ステップＳ１０−４５）。
【０１１６】
なお、上記図１１のステップＳ１０−２６で、並べ替え手順のうち並べ替え対象画像の挿入先を挿入先の一つ後の画像（例えば画像１２５（図１２（ａ）））としたが、挿入先の一つ前の画像（例えば画像１２４）とするようにしてもよい。
【０１１７】
図１２は画像の加工／編集処理に基づく画像の並べ替えの説明図であり、図１２（ａ）は並べ替え前のスライドショー表示画像を示し、図１２（ｂ）は並べ替え後のスライドショー表示画像を示す。この例は、図１２（ａ）で先頭に表示されていた画像１２１を図１２（ｂ）に示すように画像１２５と画像１２６の間に挿入し、先頭画像を１２２として続く画像を画像１２５まで順次前にずらして表示するようにしたものである。
【０１１８】
図１３は画像の加工／編集処理に基づく画像削除の説明図であり、図１３（ａ）は削除前のスライドショー表示画像を示し、図１３（ｂ）は削除後のスライドショー表示画像を示す。この例は、図１３（ａ）で前から３番目に表示されていた画像１３３を図１３（ｂ）に示すように削除した例である。
【０１１９】
図１４は画像の加工／編集処理に基づく画像情報変更の説明図であり、図１４（ａ）は画像情報変更前の画像情報表示画像を示し、図１４（ｂ）は画像情報変更表示時の画像情報表示画像を示す。図１４（ｂ）の画像上部には変更できる画像情報が重畳表示され、下部にはソフトキーボード等の入力ＩＦ（入力インターフェイス）を表示している。
【０１２０】
図１５は画像の加工／編集処理に基づくＢＧＭ変更の説明図であり、図１５（ａ）はＢＧＭ変更前の様子を概念的に示し、図１４（ｂ）はＢＧＭ変更後の様子を概念的に示したものである。
【０１２１】
図１６は画像の加工／編集処理に基づく画像切り替え効果変更の一実施例の説明図であり、画像を左側から順次スライドして表示する切り替え効果の様子を図１６（ａ）から図１６（ｃ）に示したものである。
【０１２２】
図１７は画像の加工／編集処理に基づく画像切り替え効果変更の一実施例の説明図であり、スライドショー表示中のキー操作に応じてモザイクからスライドに推移する切り替え効果の様子を図１７（ａ）から図１７（ｃ）に示したものである。
【０１２３】
以上、本発明の各実施例について説明したが、本発明は上記実施形態そのままに限定されるものではなく、実施段階ではその主旨を逸脱しない範囲で構成要素を変形して具体化できる。また、上記実施形態に開示されている複数の構成要素の適宜な組み合わせにより種々の発明を形成できる。例えば、実施形態に示されている全構成要素の中からいくつかの構成要素を削除してもよい。また、静止画のスライドショー表示だけでなく動画表示の場合にも適用できる。
【０１２４】
また、上記実施形態において記載した手法は、コンピュータに実行させることのできるプログラムとして、例えば、フラッシュメモリやハードディスク、あるいは着脱可能なメモリカード等の記録媒体に書き込んで各種装置に適用したり、そのプログラム自体をネットワーク等の伝送媒体により伝送して各装置に適用することも可能である。各種装置のコンピュータは記録媒体に記録されたプログラムあるいは伝送媒体を介して提供されたプログラムを読み込み、このプログラムによって動作が制御されることにより、各処理を実行して本手法を実現する。
【符号の説明】
【０１２５】
１  画像表示装置
１０  画像処理部（加工／編集処理手段）
１６  保存メモリ
１７  制御部（表示停止指示手段、加工／編集処理手段、記憶更新手段）
２２  表示部
３０  キー入力部（表示停止指示手段、画像再開指示手段）
３０−８  加工／編集指示手段（表示停止指示手段）
３０−９  文字入力キー（画像再開指示手段）
１００  外部画像記録装置（外部装置）
２００  テレビ受信装置（外部装置）
【図１】
2010172009.tif 000003
【図２】
2010172009.tif 000004
【図３】
2010172009.tif 000005
【図４】
2010172009.tif 000006
【図５】
2010172009.tif 000007
【図６】
2010172009.tif 000008
【図７】
2010172009.tif 000009
【図８】
2010172009.tif 000010
【図９】
2010172009.tif 000011
【図１０】
2010172009.tif 000012
【図１１】
2010172009.tif 000013
【図１２】
2010172009.tif 000014
【図１３】
2010172009.tif 000015
【図１４】
2010172009.tif 000016
【図１５】
2010172009.tif 000017
【図１６】
2010172009.tif 000018
【図１７】
2010172009.tif 000019